(57)【要約】      （修正有）【課題】水抜き動作により流路内から排出された水が衛生洗浄装置の本体内に排出されることを抑えることができる衛生洗浄装置を提供する。【解決手段】ケーシング４００と、ケーシングに対して進退自在に設けられ、複数の噴出孔を有し前記噴出孔から水を噴射して使用者の身体を洗浄する洗浄ノズル４７３と、洗浄ノズルに水を導く配管と、配管の途中に設けられ、複数の噴出孔に選択的に連通可能な複数のポートと、大気と連通する大気開放ポートと、を有し、複数のポートと大気開放ポートとが連通可能とされてなる流路切替弁と、大気開放ポートの大気開放側に設けられ、水をケーシングの外に排出する排水経路と、を備える。【選択図】図３
2014196629.tif 000002
【特許請求の範囲】
【請求項１】
ケーシングと、
前記ケーシングに対して進退自在に設けられ、複数の噴出孔を有し前記噴出孔から水を噴射して使用者の身体を洗浄する洗浄ノズルと、
前記洗浄ノズルに水を導く配管と、
前記配管の途中に設けられ、前記複数の噴出孔に選択的に連通可能な複数のポートと、大気と連通する大気開放ポートと、を有し、前記複数のポートと前記大気開放ポートとが連通可能とされてなる流路切替弁と、
前記大気開放ポートの大気開放側に設けられ、前記ケーシングの外に水を排出する排水経路と、
を備えたことを特徴とする衛生洗浄装置。
【請求項２】
ケーシングと、
前記ケーシング内に設けられ便器のボウルの表面に水を噴霧する便器噴霧ノズルと、
前記便器噴霧ノズルに水を導く配管と、
前記配管の途中に設けられ、前記便器噴霧ノズルとの連通および非連通のうちのいずれかを選択可能な複数のポートと、大気と連通する大気開放ポートと、を有し、前記複数のポートと前記大気開放ポートとが連通可能とされてなる流路切替弁と、
前記大気開放ポートの大気開放側に設けられ、前記ケーシングの外に水を排出する排水経路と、
を備えたことを特徴とする衛生洗浄装置。
【請求項３】
前記流路切替弁は、ディスク式の切替弁であり、
前記ディスクに設けられたシールから漏れる水は、前記排水経路に流れることを特徴とする請求項１または２に記載の衛生洗浄装置。
【請求項４】
前記流路切替弁は、
前記流路切替弁よりも上流側の配管と連通する水供給ポートを有し、待機状態において位置する待機位置から一方向に回転可能な第１のディスクと、
前記第１のディスクと対面して設けられ、前記水供給ポートに供給された水を前記流路切替弁よりも下流側の配管に連通させる配管連通ポートと、前記大気開放ポートと、を有する第２のディスクと、
を有し、
前記待機位置から前記大気開放ポートまでの前記第１のディスクの回転角度は、前記待機位置から前記配管連通ポートまでの前記第１のディスクの回転角度よりも大きいことを特徴とする請求項３記載の衛生洗浄装置。
【請求項５】
前記大気開放ポートは、前記配管連通ポートの位置よりも高い位置に設けられたことを特徴とする請求項４記載の衛生洗浄装置。
【発明の詳細な説明】
【技術分野】
【０００１】
本発明の態様は、一般的に、衛生洗浄装置に関し、具体的には洋式腰掛便器に腰掛けた使用者の「おしり」などを水で洗浄する衛生洗浄装置に関する。
【背景技術】
【０００２】
衛生洗浄装置の流路内に水が残ると。凍結破損が生ずるおそれがある。そのため、バキュームブレーカを使って、流路内の残水を抜く技術が知られている。また、別の方法として、バルブ手段が大気に連通する大気連通路と接続されることで、流路内の水抜きを行う温水洗浄装置がある（特許文献１）。
【０００３】
しかし、特許文献１に記載された温水洗浄装置では、バルブ手段が大気連通路と接続するため、バルブ手段よりも下流の流路内の残水は、例えば人体洗浄ノズルなどから排水される一方で、バルブ手段よりも下流側の水が逆流し温水洗浄装置の本体の内部に流れるおそれがある。水が温水洗浄装置の本体の内部に流れると、温水洗浄装置が故障するおそれがあるという問題がある。
【先行技術文献】
【特許文献】
【０００４】
【特許文献１】特開平６−１７４７２号公報
【発明の概要】
【発明が解決しようとする課題】
【０００５】
本発明は、かかる課題の認識に基づいてなされたものであり、水抜き動作により流路内から排出された水が衛生洗浄装置の本体内に排出されることを抑えることができる衛生洗浄装置を提供することを目的とする。
【課題を解決するための手段】
【０００６】
第１の発明は、ケーシングと、前記ケーシングに対して進退自在に設けられ、複数の噴出孔を有し前記噴出孔から水を噴射して使用者の身体を洗浄する洗浄ノズルと、前記洗浄ノズルに水を導く配管と、前記配管の途中に設けられ、前記複数の噴出孔に選択的に連通可能な複数のポートと、大気と連通する大気開放ポートと、を有し、前記複数のポートと前記大気開放ポートとが連通可能とされてなる流路切替弁と、前記大気開放ポートの大気開放側に設けられ、前記ケーシングの外に水を排出する排水経路と、を備えたことを特徴とする衛生洗浄装置である。
【０００７】
この衛生洗浄装置によれば、流路切替弁が大気開放ポートと連通し、複数のポートと大気開放ポートとが連通した際の逆流水があったとしても、その水は、排水経路を通りケーシングの外に確実に排出される。これにより、配管の凍結を防止することができるとともに、水がケーシングの内部において漏れること、あるいは水がケーシングの内部に排出されることを抑えることができる。
【０００８】
第２の発明は、ケーシングと、前記ケーシング内に設けられ便器のボウルの表面に水を噴霧する便器噴霧ノズルと、前記便器噴霧ノズルに水を導く配管と、前記配管の途中に設けられ、前記便器噴霧ノズルとの連通および非連通のうちのいずれかを選択可能な複数のポートと、大気と連通する大気開放ポートと、を有し、前記複数のポートと前記大気開放ポートとが連通可能とされてなる流路切替弁と、前記大気開放ポートの大気開放側に設けられ、前記ケーシングの外に水を排出する排水経路と、を備えたことを特徴とする衛生洗浄装置である。
【０００９】
この衛生洗浄装置によれば、流路切替弁が大気開放ポートを選択して大気と連通し、複数のポートと大気開放ポートが連通した際の逆流水があったとしても、その水は、排水経路を通りケーシングの外に確実に排出される。これにより、配管の凍結を防止することができるとともに、水がケーシングの内部において漏れること、あるいは水がケーシングの内部に排出されることを抑えることができる。
【００１０】
第３の発明は、第１または２の発明において、前記流路切替弁は、ディスク式の切替弁であり、前記ディスクに設けられたシールから漏れる水は、前記排水経路に流れることを特徴とする衛生洗浄装置である。
【００１１】
この衛生洗浄装置によれば、流路切替弁がディスク式の切替弁であるため、例えばパッキンなどにおけるシールの漏れ水でも確実にケーシングの外に排出することができる。また、排水経路が１つであるため、流路切替弁が大型化することを抑えることができる。
【００１２】
第４の発明は、第３の発明において、前記流路切替弁は、前記流路切替弁よりも上流側の配管と連通する水供給ポートを有し、待機状態において位置する待機位置から一方向に回転可能な第１のディスクと、前記第１のディスクと対面して設けられ、前記水供給ポートに供給された水を前記流路切替弁よりも下流側の配管に連通させる配管連通ポートと、前記大気開放ポートと、を有する第２のディスクと、を有し、前記待機位置から前記大気開放ポートまでの前記第１のディスクの回転角度は、前記待機位置から前記配管連通ポートまでの前記第１のディスクの回転角度よりも大きいことを特徴とする衛生洗浄装置である。
【００１３】
この衛生洗浄装置によれば、通常使用時に、大気開放ポートを通って空気が取り込まれることを抑え、誤って洗浄水が排出されることを抑えることができる。
【００１４】
第５の発明は、第４の発明において、前記大気開放ポートは、前記配管連通ポートの位置よりも高い位置に設けられたことを特徴とする衛生洗浄装置である。
【００１５】
この衛生洗浄装置によれば、流路切替弁よりも下流の流路の水抜きを行う際に、高低差（ヘッド差）を利用することができる。そのため、流路中の水抜きを確実に行うことができる。
【発明の効果】
【００１６】
本発明の態様によれば、水抜き動作により流路内から排出された水が衛生洗浄装置の本体内に排出されることを抑えることができる衛生洗浄装置が提供される。
【図面の簡単な説明】
【００１７】
【図１】本発明の実施の形態にかかる衛生洗浄装置を備えたトイレ装置を表す模式的斜視図である。
【図２】本実施形態にかかる衛生洗浄装置の要部構成を表すブロック図である。
【図３】本実施形態のケーシングの内部を表す模式的平面図である。
【図４】本実施形態のケーシングの内部を表す模式的斜視図である。
【図５】本発明の他の実施の形態にかかる衛生洗浄装置の要部構成を表すブロック図である。
【図６】本実施形態の金属イオン酸性水生成装置を表す模式的斜視図である。
【図７】本実施形態の他の排水経路有する金属イオン酸性水生成装置を表す模式的斜視図である。
【図８】各要部構成の高さ方向の位置関係を表すブロック図である。
【図９】本実施形態の金属イオン酸性水生成装置を表す模式図である。
【図１０】本実施形態の金属イオン酸性水生成装置を表す模式図である。
【図１１】本実施形態の金属イオン酸性水生成装置のハウジング内の流路を表す模式図である。
【図１２】本実施形態の第１の流路切替弁を説明する模式図である。
【図１３】本実施形態のディスク開口パターンを例示する模式的平面図である。
【図１４】本実施形態の流路切替パターンを例示する模式的概略図である。
【図１５】比較例の流路切替パターンを例示する模式的概略図である。
【図１６】酸性水の流れを説明する模式図である。
【図１７】酸性水の流れを説明する模式図である。
【図１８】アルカリ性水の流れを説明する模式図である。
【図１９】空気の流れを説明する模式図である。
【図２０】空気の流れを説明する模式図である。
【発明を実施するための形態】
【００１８】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す模式的斜視図である。
【００１９】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００２０】
ケーシング４００の内部には、便座２００に座った使用者の「おしり」などの洗浄を実現する身体洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えばリモコンなどの図示しない操作部を操作すると、洗浄ノズル４７３を便器８００のボウル８０１内に進出させたり、洗浄ノズル４７３をケーシング４００の内部に後退させることができる。なお、図１に表した衛生洗浄装置１００では、洗浄ノズル４７３がボウル８０１内に進出した状態を表している。
【００２１】
洗浄ノズル４７３の先端部には、複数の吐水口（噴出孔）４７４が設けられている。そして、洗浄ノズル４７３は、その先端部に設けられた吐水口４７４から水を噴射して、便座２００に座った使用者の「おしり」などを洗浄することができる。例えば、複数の吐水口４７４のうちの１つの吐水口４７４は、おしり洗浄用の吐水口である。例えば、複数の吐水口４７４のうちの他の１つの吐水口４７４は、ビデ洗浄用の吐水口である。なお、本願明細書において「水」という場合には、冷水のみならず、加温されたお湯も含むものとする。
【００２２】
なお、本願明細書においては、便座２００に座った使用者からみて上方を「上方」とし、便座２００に座った使用者からみて下方を「下方」とする。また、便座２００に座った使用者からみて前方を「前方」とし、便座２００に座った使用者からみて後方を「後方」とする。あるいは、便器８００の方向を向いて便器８００の前に立った使用者からみて手前側を「前方」とし、便器８００の方向を向いて便器８００の前に立った使用者からみて奥側を「後方」とする。また、便器８００の方向を向いて便器８００の前に立った使用者からみて右側を「右側方」とし、便器８００の方向を向いて便器８００の前に立った使用者からみて左側を「左側方」とする。
【００２３】
図２は、本実施形態にかかる衛生洗浄装置の要部構成を表すブロック図である。  
図２は、水路系と電気系の要部構成を併せて表している。
【００２４】
本実施形態にかかる衛生洗浄装置１００は、水道や貯水タンクなどの給水源から供給された水を洗浄ノズル４７３の吐水口４７４に導く流路（配管）４０１を有する。流路４０１の上流側には、電磁弁４３１が設けられている。電磁弁４３１は、開閉可能な電磁バルブであり、ケーシング４００の内部に設けられた制御部４１０からの指令に基づいて水の供給を制御する。
【００２５】
電磁弁４３１の下流には、熱交換器ユニット４４０が設けられている。熱交換器ユニット４４０は、図示しない温水ヒータを有する。温水ヒータは、供給された水を加熱し、所定の温水にする。なお、温水温度については、例えば、使用者がリモコンなどの図示しない操作部を操作することにより設定することができる。
【００２６】
熱交換器ユニット４４０の下流には、殺菌水（機能水）を生成可能な電解槽ユニット４５０が設けられている。電解槽ユニット４５０において生成された殺菌水は、洗浄ノズル４７３の吐水口４７４から噴射されたり、あるいは洗浄ノズル４７３の吐水口４７４や外周表面（胴体）へ向かって噴射される。これにより、電解槽ユニット４５０よりも下流側の流路や、洗浄ノズル４７３の吐水口４７４の部分および外周表面は、殺菌水により殺菌される。
【００２７】
電解槽ユニット４５０は、その内部に陽極板（図示せず）および陰極板（図示せず）を有し、制御部４１０からの通電の制御によって、内部を流れる水道水を電気分解できる。ここで、水道水は、塩化物イオンを含んでいる。この塩化物イオンは、水源（例えば、地下水や、ダムの水や、河川などの水）に例えば食塩（ＮａＣｌ）や塩化カルシウム（ＣａＣｌ２）などとして含まれている。そのため、その塩化物イオンを電気分解することにより次亜塩素酸が生成される。その結果、電解槽ユニット４５０において電気分解された水（電解水）は、次亜塩素酸を含む液に変化する。
【００２８】
次亜塩素酸は、殺菌成分として機能し、その次亜塩素酸を含む液すなわち殺菌水は、アンモニアや油分などによる汚れを効率的に除去あるいは分解したり、殺菌することができる。  
なお、電解槽ユニット４５０において生成される殺菌水（電解水）は、銀イオンや銅イオンなどの金属イオンを含む液であってもよい。あるいは、電解槽ユニット４５０において生成される殺菌水は、電解塩素やオゾンなどを含む液であってもよい。あるいは、電解槽ユニット４５０において生成される殺菌水は、酸性水やアルカリ性水であってもよい。あるいは、殺菌水は、殺菌剤および殺菌液を水に溶解させることによって生成される殺菌水であってもよい。つまり、殺菌水を生成する装置は、電解槽ユニット４５０に限定されない。
【００２９】
電解槽ユニット４５０の下流には、流路切替弁４６０が設けられている。流路切替弁４６０は、バキュームブレーカ（大気開放ポート）４６１と、流量調整弁４６３と、を有する。バキュームブレーカ４６１は、電解槽ユニット４５０から供給された水あるいは殺菌水を洗浄ノズル４７３の吐水口４７４へ導く流路の途中に配置され、水あるいは殺菌水が逆流することを防止する。あるいは、バキュームブレーカ４６１は、空気を取り込むことにより、流路４０１内の水抜きを促進させる。
【００３０】
バキュームブレーカ４６１の下流（大気開放側）には、流量調整弁４６３が設けられている。流量調整弁４６３は、おしり洗浄用の吐水口４７４に洗浄水を導く流路や、ビデ洗浄用の吐水口に洗浄水を導く流路や、ノズル洗浄室４７８に洗浄水を導く流路への給水の開閉や切替を行う。つまり、流量調整弁４６３は、複数の吐水口４７４に選択的に連通可能な複数のポートを有する。
【００３１】
流量調整弁４６３の下流には、洗浄ノズル４７３が設けられている。洗浄ノズル４７３は、ノズルモータ４７６からの駆動力を受け、ケーシング４００の内部から便器８００のボウル８０１内へ向かって進出したり、ケーシング４００の内部へ後退することができる。つまり、ノズルモータ４７６は、制御部４１０からの指令に基づいて洗浄ノズル４７３を進退させることができる。  
流量調整弁４６３は、洗浄ノズル４７３の進退動作に伴って移動する。つまり、流量調整弁４６３は、洗浄ノズル４７３と共に移動する。
【００３２】
流量調整弁４６３の下流には、ノズル洗浄室４７８が設けられている。ノズル洗浄室４７８は、ケーシング４００の内部に固定され、ケーシング４００の内部に後退した待機状態の洗浄ノズル４７３を洗浄することができる。あるいは、ノズル洗浄室４７８は、進退動作中の洗浄ノズル４７３の外周表面を洗浄することができる。具体的には、ノズル洗浄室４７８は、その内部に設けられた図示しない吐水部から殺菌水あるいは水を噴射することにより、洗浄ノズル４７３の外周表面を殺菌あるいは洗浄することができる。
【００３３】
図３は、本実施形態のケーシングの内部を表す模式的平面図である。  
図４は、本実施形態のケーシングの内部を表す模式的斜視図である。  
図３（ａ）は、洗浄ノズル４７３がボウル８０１内に進出した状態を上方から眺めた模式的平面図である。図３（ｂ）は、洗浄ノズル４７３を省略した状態を上方から眺めた模式的平面図である。
【００３４】
バキュームブレーカ４６１は、空気を取り込むことにより、バキュームブレーカ４６１よりも下流の流路内の残水を例えば洗浄ノズル４７３の吐水口４７４などから便器８００のボウル８０１内へ排出する水抜き動作を促進する。しかし、バキュームブレーカ４６１が空気を取り込むと、バキュームブレーカ４６１の下流側の水が逆流し、ケーシング４００の内部に流れることがある。
【００３５】
また、流量調整弁４６３は、複数の流路への給水の開閉や切替を行い、複数の吐水口４７４に選択的に連通可能とされてなる。しかし、例えば、流量調整弁４６３が連通先の選択を切り替える際に、水が流量調整弁４６３の外部に出てくることがある。
【００３６】
図１に関して前述したように、ケーシング４００の内部には、例えば身体洗浄機能部などの種々の機能部が内蔵されている。そのため、バキュームブレーカ４６１および流量調整弁４６３の少なくともいずれかから出てきた水がケーシング４００の内部に流れると、衛生洗浄装置１００が故障するおそれがある。
【００３７】
これに対して、図３（ｂ）および図４に表したように、本実施形態にかかる衛生洗浄装置１００は、排水経路４８０を備える。排水経路４８０は、ケーシング４００が有する下側のプレートに形成され、第１の排水路４８１と、第２の排水路４８２と、を有する。図３（ｂ）に表した矢印Ａ１および図４に表した矢印Ａ３のように、バキュームブレーカ４６１から漏れ出てきた水は、第１の排水路４８１を通りケーシング４００の外に排出される。図３（ｂ）に表した矢印Ａ２のように、流量調整弁４６３から漏れ出てきた水は、第２の排水路４８２を通りケーシング４００の外に排出される。具体的には、バキュームブレーカ４６１および流量調整弁４６３のそれぞれから漏れ出てきた水は、便器８００のボウル８０１内に排出される。
【００３８】
本実施形態によれば、バキュームブレーカ４６１が空気を取り込み、バキュームブレーカ４６１の下流側の水が逆流しても、その水は、排水経路４８０を通りケーシング４００の外に確実に排出される。また、水が流量調整弁４６３から漏れ出てきても、その水は、排水経路４８０を通りケーシング４００の外に確実に排出される。これにより、流路４０１の凍結を防止することができるとともに、水がケーシング４００の内部において漏れること、あるいは水がケーシング４００の内部に排出されることを抑えることができる。
【００３９】
次に、本発明の他の実施の形態について、図面を参照しつつ説明する。  
図５は、本発明の他の実施の形態にかかる衛生洗浄装置の要部構成を表すブロック図である。  
図６は、本実施形態の金属イオン酸性水生成装置を表す模式的斜視図である。  
図７は、本実施形態の他の排水経路有する金属イオン酸性水生成装置を表す模式的斜視図である。  
図８は、各要部構成の高さ方向の位置関係を表すブロック図である。
【００４０】
本実施形態にかかる衛生洗浄装置１００ａがトイレ装置に取り付けられた状態は、図１に関して前述したトイレ装置の状態と同様である。  
本実施形態にかかる衛生洗浄装置１００ａは、水道や貯水タンクなどの給水源から供給された水を洗浄ノズル４７３の吐水口４７４に導く第１の流路（配管）４０３を有する。流路４０３の上流側には、電磁弁（バルブ）４３１が設けられている。電磁弁４３１の下流側には、サブタンク４３３およびポンプ４３５を介して熱交換器ユニット４４０が設けられている。ポンプ４３５は、流路４０１内の水の流れに脈動を与え、洗浄ノズル４７３の吐水口４７４から吐水される水に脈動を与えることができる。なお、ポンプ４３５は、必ずしも設けられていなくともよい。
【００４１】
熱交換器ユニット４４０の下流側には、オートクリーン４５１を介してバキュームブレーカ（ＶＢ）４６１が設けられている。バキュームブレーカ４６１の下流側には、流量調整弁４６３が設けられている。バキュームブレーカ４６１を通過した水は、流量調整弁４６３を介して洗浄ノズル４７３へ導かれる。バキュームブレーカ（ＶＢ）４６１、流量調整弁４６３および洗浄ノズル４７３は、図２に関して前述した通りである。
【００４２】
流量調整弁４６３は、洗浄ノズル４７３や便器噴霧ノズル４７５への給水の開閉や切替を行う。第１の流路４０３は、流量調整弁４６３により、洗浄ノズル４７３へ水を導く流路（第１の流路４０３）と、便器噴霧ノズル４７５へ水を導く第２の流路４０５と、に分岐される。
【００４３】
第２の流路４０５の途中には、金属イオン酸性水生成装置５００が設けられている。金属イオン酸性水生成装置５００は、金属イオンを含む酸性水を生成する。以下では、金属イオン酸性水生成装置５００がアルミニウムイオンを含む酸性水（アルミニウムイオン酸性水）を生成する場合を例に挙げて説明する。なお、本実施形態では、金属がアルミニウムである場合を例に挙げているが、金属としては、鉄、銅、アルミニウムなどでも同様の効果を発揮することができる。
【００４４】
図５〜図７に表したように、金属イオン酸性水生成装置５００は、電解槽５１０と、第１の流路切替弁５２０と、第２の流路切替弁５３０と、アルミニウム槽５４０と、を有する。電解槽５１０は、第２の流路４０５の上流側に設けられている。電解槽５１０の下流側には、第１の流路切替弁５２０と、第２の流路切替弁５３０と、が設けられている。
【００４５】
本実施形態では、第１の流路切替弁５２０および第２の流路切替弁５３０のいずれか一方は、電解槽５１０から供給されたアルカリ性水を便器８００の排水配管に直接排出する。これによれば、アルカリ性水が便器８００のボウル８０１の表面に接触することがない。そのため、アルカリ性水が、ボウル８０１の表面に噴霧された酸性水の殺菌作用を低減させることを抑制することができる。
【００４６】
第１の流路切替弁５２０および第２の流路切替弁５３０のいずれか他方は、電解槽５１０から供給された酸性水をアルミニウム槽５４０へ導く。アルミニウム槽５４０は、タンク５４１（図９（ｂ）参照）と、アルミニウム５４３（図９（ｂ）参照）と、を有する。電解槽５１０から供給された酸性水は、タンク５４１内に貯留される。そして、タンク５４１内に設置されたアルミニウム５４３は、タンク５４１内に貯留された酸性水により浸漬された状態となる。
【００４７】
すると、酸性水に浸漬されたアルミニウム５４３は、所定の時間をかけて溶解（徐溶）する。これにより、タンク５４１内の酸性水は、アルミニウムイオンを含む酸性水（アルミニウムイオン酸性水）となる。つまり、アルミニウム槽５４０において、金属イオン（本実施形態ではＡｌ３＋）を含む酸性度の高い水溶液が生成される。
【００４８】
アルミニウム槽５４０により生成されたアルミニウムイオン酸性水は、便器噴霧ノズル４７５へ導かれる。便器噴霧ノズル４７５は、例えばケーシング４００に設けられている。便器噴霧ノズル４７５は、ケーシング４００の内部に設けられていてもよいし、ケーシング４００の外部に付設されていてもよい。便器噴霧ノズル４７５は、アルミニウム槽５４０から供給されたアルミニウムイオン酸性水をボウル８０１の表面へ噴霧する。
【００４９】
後に詳述するように、第１の流路切替弁５２０および第２の流路切替弁５３０のそれぞれは、便器噴霧ノズル４７５との連通および非連通のうちのいずれかを選択可能な複数のポートを有する。また、第１の流路切替弁５２０および第２の流路切替弁５３０のそれぞれは、大気と連通する大気開放ポート５２３ａ（図１３（ａ）〜図１３（ｄ）参照）を有する。例えば図８に表した矢印Ａ１４のように、第１の流路切替弁５２０および第２の流路切替弁５３０のそれぞれは、大気開放ポート５２３ａを選択し大気と連通することにより、第１の流路切替弁５２０および第２の流路切替弁５３０の下流側の流路内（例えばアルミニウム槽５４０内）の残水を排出する水抜き動作を促進する。
【００５０】
ここで、説明の便宜上、第１の流路切替弁５２０および第２の流路切替弁５３０のうちの第１の流路切替弁５２０を例に挙げて説明する。  
第１の流路切替弁５２０が大気開放ポート５２３ａを選択し大気と連通すると、第１の流路切替弁５２０の下流側の水が逆流し、ケーシング４００の内部に流れることがある。これは、第２の流路切替弁５３０についても同様である。
【００５１】
また、前述したように、第１の流路切替弁５２０は、アルカリ性水を便器８００の排水配管に直接排出したり、酸性水をアルミニウム槽５４０へ導く。しかし、第１の流路切替弁５２０が水（アルカリ性水および酸性水を含む）の供給先を切り替える際に、その水が第１の流路切替弁５２０の外部に出てくることがある。これは、第２の流路切替弁５３０についても同様である。  
すると、図３および図４に関して前述したように、衛生洗浄装置１００が故障するおそれがある。
【００５２】
これに対して、図６に表したように、本実施形態にかかる衛生洗浄装置１００ａは、排水経路５５１を備える。図７に表したように、本実施形態にかかる衛生洗浄装置１００ａは、排水経路５５１とは異なる他の排水経路５５３をさらに備えていてもよい。この場合、他の排水経路５５３は、排水経路５５１の下流側に接続されている。
【００５３】
図６（ａ）に表した矢印Ａ１１および図６（ｂ）に表した矢印Ａ１２のように、第１の流路切替弁５２０から漏れ出てきた水は、排水経路５５１を通りケーシング４００の外に排出される。あるいは、図７に表した矢印Ａ１３のように、第１の流路切替弁５２０から漏れ出てきた水は、排水経路５５１、５５３を通りケーシング４００の外に排出される。具体的には、第１の流路切替弁５２０から漏れ出てきた水は、便器８００のボウル８０１内に排出される。これは、第２の流路切替弁５３０から漏れ出てきた水についても同様である。なお、排水経路の設置水や設置形態は、図６および図７に表した排水経路５５１、５５３の設置水や設置形態に限定されるわけではない。
【００５４】
これによれば、第１の流路切替弁５２０が大気開放ポートを選択して大気と連通し、第１の流路切替弁５２０の下流側の水が逆流しても、その水は、排水経路５５１、５５３を通りケーシング４００の外に確実に排出される。また、水が第１の流路切替弁５２０から漏れ出てきても、その水は、排水経路５５１、５５３を通りケーシング４００の外に確実に排出される。これにより、第１の流路４０３および第２の流路４０５の凍結を防止することができるとともに、水がケーシング４００の内部において漏れること、あるいは水がケーシング４００の内部に排出されることを抑えることができる。これは、第２の流路切替弁５３０についても同様である。
【００５５】
次に、本実施形態の金属イオン酸性水生成装置５００について、図面を参照しつつさらに説明する。  
図９は、本実施形態の金属イオン酸性水生成装置を表す模式図である。  
図９（ａ）は、図６（ａ）に表した矢視Ｂ１の方向にみたときの金属イオン酸性水生成装置を表す模式的平面図である。図９（ｂ）は、図９（ａ）に表した切断面Ａ−Ａにおける模式的断面図である。
【００５６】
図５〜図７に関して前述したように、本実施形態の金属イオン酸性水生成装置５００は、電解槽５１０と、アルミニウム槽５４０と、を有する。  
図９（ｂ）に表したように、電解槽５１０は、第１の電解槽ケース５１１と、第２の電解槽ケース５１２と、を有する。第１の電解槽ケース５１１には、入水ポート５１３と、第２の出口ポート５１７と、が設けられている。第２の電解槽ケース５１２には、第１の出口ポート５１６が設けられている。第１の電解槽ケース５１１と第２の電解槽ケース５１２とは、互いに結合し、入水ポート５１３、第１の出口ポート５１６および第２の出口ポート５１７以外の部分において水密構造を有する。
【００５７】
また、電解槽５１０は、その内部に第１の電極板５１４および第２の電極板５１５を有し、制御部４１０からの通電の制御によって、第１の電極板５１４と、第２の電極板５１５と、の間の空間（流路）を流れる水道水を電気分解できる。この際、陰極板（例えば第２の電極板５１５）においては酸（Ｈ＋）が消費され、陰極板の近傍ではｐＨが上昇する。すなわち、陰極板の近傍では、アルカリ性水が生成される。一方、陽極板（例えば第１の電極板５１４）においてはアルカリ（ＯＨ−）が消費され、陽極板の近傍ではｐＨが下降する。すなわち、陽極板の近傍では、酸性水が生成される。
【００５８】
図９（ｂ）に表した矢印Ａ２１、矢印Ａ２２および矢印Ａ２３のように、入水ポート５１３から電解槽５１０の内部（第１の電解槽ケース５１１と第２の電解槽ケース５１２との間）に導かれ第１の電極板５１４の近傍を通過した水は、第１の出口ポート５１６を通って第１の流路切替弁５２０へ導かれる。一方、図９（ｂ）に表した矢印Ａ２１、矢印Ａ２４および矢印Ａ２５のように、入水ポート５１３から電解槽５１０の内部に導かれ第２の電極板５１５の近傍を通過した水は、第２の出口ポート５１７を通って第２の流路切替弁５３０へ導かれる。なお、図６（ｂ）に表したように、第２の出口ポート５１７から出た水は、例えば可撓性チューブなどの配管４０８（図６（ｂ）参照）を通って第２の流路切替弁５３０へ導かれる。
【００５９】
アルミニウム槽５４０は、タンク５４１と、アルミニウム５４３と、を有する。アルミニウム槽５４０は、図５〜図７に関して前述した通りである。
【００６０】
図１０は、本実施形態の金属イオン酸性水生成装置を表す模式図である。  
図１０（ａ）は、電解槽を省略した状態において図６（ａ）に表した矢視Ｂ１の方向にみたときの金属イオン酸性水生成装置を表す模式的平面図である。図１０（ｂ）は、図１０（ａ）に表した切断面Ｂ−Ｂにおける模式的断面図である。
【００６１】
図１０（ａ）および図１０（ｂ）に表した矢印Ａ２６および矢印Ａ２７のように、電解槽５１０の第２の出口ポート５１７から供給された水は、第２の流路切替弁５３０へ向かって導かれる。このとき、図１０（ｂ）に表した矢印Ａ２８、矢印Ａ２９および矢印Ａ３１のように、電解槽５１０において生成されたスケールが第２の流路切替弁５３０に進入することを抑制するため、電解槽５１０から供給された水は、ストレーナ５６１を通って第２の流路切替弁５３０へ導かれる。
【００６２】
図１１は、本実施形態の金属イオン酸性水生成装置のハウジング内の流路を表す模式図である。  
図１１（ａ）は、図６（ａ）に表した矢視Ｂ２の方向にみたときのハウジングを表す模式的平面図である。図１１（ｂ）は、図１１（ａ）に表した切断面Ｃ−Ｃにおける模式的断面図である。なお、図１１（ｂ）では、ハウジングだけでなく、第１の流路切替弁５２０を表している。
【００６３】
本実施形態の金属イオン酸性水生成装置５００は、金属イオン酸性水生成装置５００の外形のうちの少なくとも一部を形成するハウジング５０１を有する。図１１（ａ）に表したように、ハウジング５０１は、大気開放流路５０２と、アルカリ性水流路５０３と、酸性水流路５０４と、を有する。図１１（ａ）に表した矢印Ａ３２および図１１（ｂ）に表した矢印Ａ３３のように、ストレーナ５６１を通って第１の流路切替弁５２０へ導かれた水は、第１の流路切替弁５２０が複数のポートのうちから選択したポートを通り、その選択されたポートに連通した流路へ導かれる。
【００６４】
例えば、図１１（ｂ）に表した矢印Ａ３５のように、第１の流路切替弁５２０がアルカリ性水流路５０３に連通したポートを選択すると、水は、アルカリ性水流路５０３へ導かれる。一方、図１１（ｂ）に表した矢印Ａ３６のように、第１の流路切替弁５２０が酸性水流路５０４に連通したポートを選択すると、水は、酸性水流路５０４へ導かれる。また、図１１（ｂ）に表した矢印Ａ３４のように、第１の流路切替弁５２０は、大気開放流路５０２に連通したポートを選択すると、大気開放流路５０２内に空気を取り込むことができる。これにより、第１の流路切替弁５２０の下流側の流路内の残水を排出する水抜き動作を促進することができる。
【００６５】
なお、第２の流路切替弁５３０が設けられた部分のハウジング５０１の構造は、第１の流路切替弁５２０が設けられた部分のハウジング５０１の構造と同様である。また、第２の流路切替弁５３０における水の流れおよび空気の流れの概略は、第１の流路切替弁５２０における水の流れおよび空気の流れの概略と同様である。
【００６６】
ここで、第１の流路切替弁５２０および第２の流路切替弁５３０について、図面を参照しつつさらに説明する。なお、第２の流路切替弁５３０の構造および動作は、第１の流路切替弁５２０の構造および動作と同様であるため、以下では、第１の流路切替弁５２０を例に挙げて説明する。
【００６７】
図１２は、本実施形態の第１の流路切替弁を説明する模式図である。  
図１２（ａ）は、本実施形態の第１の流路切替弁５２０の内部構造を表す模式的断面図である。図１２（ｂ）は、図１２（ａ）に表した矢視Ｂ３の方向にみたときの模式的平面図である。図１２（ｃ）は、本実施形態のステータを表す模式的斜視図である。図１２（ｄ）は、本実施形態のパッキンを表す模式的斜視図である。
【００６８】
本実施形態の第１の流路切替弁５２０は、回転軸５２１と、ロータ（第１のディスク）５２２と、ステータ（第２のディスク）５２３と、パッキン５２４と、を有する。本実施形態の第１の流路切替弁は、ディスク式の切替弁である。
【００６９】
回転軸５２１は、例えばモータなどの駆動部５２９（図１１（ｂ）参照）と接続され、駆動部５２９から伝達される駆動力を受けて回転する。  
ロータ５２２は、回転軸５２１と接続され、回転軸５２１と共に回転する。  
図１２（ａ）に表したように、ステータ５２３は、ロータ５２２と対面して設けられている。図１２（ｂ）に表したように、ステータ５２３は、大気開放ポート５２３ａと、酸性水ポート（配管連通ポート）５２３ｂと、アルカリ性水ポート（配管連通ポート）５２３ｃと、を有する。大気開放ポート５２３ａは、酸性水ポート（配管連通ポート）５２３ｂおよびアルカリ性水ポート（配管連通ポート）５２３ｃの位置よりも上方の位置に設けられている。
【００７０】
大気開放ポート５２３ａは、ハウジング５０１に設けられた大気開放流路５０２と連通し、大気と連通している。酸性水ポート５２３ｂは、ハウジング５０１に設けられた酸性水流路５０４と連通し、アルミニウム槽５４０と連通している。アルカリ性水ポート５２３ｃは、ハウジング５０１に設けられたアルカリ性水流路５０３と連通し、ケーシング４００の外と連通している。
【００７１】
図１２（ｃ）に表したように、ロータ５２２と対面する側のステータ５２３の表面には、酸性水溝部５２３ｅと、アルカリ性水溝部５２３ｆと、が設けられている。酸性水溝部５２３ｅは、酸性水ポート５２３ｂと接続されている。アルカリ性水溝部５２３ｆは、アルカリ性水ポート５２３ｃと接続されている。
【００７２】
パッキン５２４は、例えばゴムなどの弾性を有する材料により形成され、ロータ５２２と対面する側の面と反対側の面に付設されている。図１１（ｂ）に表したように、第１の流路切替弁５２０がハウジング５０１に取り付けられた状態では、パッキン５２４は、ハウジング５０１と当接している。
【００７３】
パッキン５２４は、第１の仕切部５２４ａと、第２の仕切部５２４ｂと、を有する。    第１の仕切部５２４ａは、アルカリ性水ポート５２３ｃを通過したアルカリ性水が大気開放流路５０２に進入することを抑制する。あるいは、大気開放流路５０２を通った空気がアルカリ性水ポート５２３ｃを通過することを抑制する。  
第２の仕切部５２４ｂは、酸性水ポート５２３ｂを通過した酸性水がアルカリ性水流路５０３に進入することを抑制する。あるいは、第２の仕切部５２４ｂは、アルカリ性水ポート５２３ｃを通過したアルカリ性水が酸性水流路５０４に進入することを抑制する。
【００７４】
図１３は、本実施形態のディスク開口パターンを例示する模式的平面図である。  
図１３（ａ）は、アルカリ性水を排出するときのディスク開口パターンを表す模式的平面図である。図１３（ｂ）は、アルミニウムイオン酸性水を生成するときのディスク開口パターンを表す模式的平面図である。図１３（ｃ）は、便器噴霧を行うときのディスク開口パターンを表す模式的平面図である。図１３（ｄ）は、水抜きを行うときのディスク開口パターンを表す模式的平面図である。
【００７５】
図１３（ａ）〜図１３（ｄ）に表したように、ロータ５２２は、第１の水供給ポート５２２ａと、第２の水供給ポート５２２ｂと、を有する。第１の水供給ポート５２２ａおよび第２の水供給ポート５２２ｂのそれぞれは、第１の流路切替弁５２０よりも上流の流路と連通している。ロータ５２２は、図１３（ａ）に表した矢印Ａ３７の一方向に回転することができる。
【００７６】
図１３（ａ）に表したように、アルカリ性水を排出するときには、第１の水供給ポート５２２ａは、アルカリ性水ポート５２３ｃと連通した位置に配置される。これにより、第１の流路切替弁５２０に供給されたアルカリ性水は、第１の水供給ポート５２２ａ、アルカリ性水ポート５２３ｃおよびアルカリ性水流路５０３を通って衛生洗浄装置１００ａの外へ排出される。つまり、アルカリ性水を排出するときには、第１の水供給ポート５２２ａは、衛生洗浄装置１００ａの外と連通する。なお、金属イオン酸性水生成装置５００が待機状態のときには、第１の水供給ポート５２２ａは、図１３（ａ）に表した位置（原点）にある。
【００７７】
図１３（ｂ）に表したように、アルミニウムイオン酸性水を生成するときには、第１の水供給ポート５２２ａは、酸性水溝部５２３ｅと連通した位置に配置される。これにより、図１３（ｂ）に表した矢印Ａ６２のように、第１の流路切替弁５２０に供給された酸性水は、第１の水供給ポート５２２ａ、酸性水溝部５２３ｅ、酸性水ポート５２３ｂおよび酸性水流路５０４を通ってアルミニウム槽５４０へ導かれる。つまり、アルミニウムイオン酸性水を生成するときには、第１の水供給ポート５２２ａは、アルミニウム槽５４０と連通する。
【００７８】
図１３（ｃ）に表したように、アルミニウム槽５４０において生成されたアルミニウムイオン酸性水を便器８００のボウル８０１の表面に噴霧するときには、第１の水供給ポート５２２ａは、酸性水ポート５２３ｂと連通した位置に配置される。これにより、第１の流路切替弁５２０に供給された水は、第１の水供給ポート５２２ａ、酸性水ポート５２３ｂおよび酸性水流路５０４を通ってアルミニウム槽５４０へ導かれる。さらに、アルミニウム槽５４０において生成されたアルミニウムイオン酸性水は、便器８００のボウル８０１の表面に噴霧される。
【００７９】
アルミニウムイオン酸性水を便器８００のボウル８０１の表面に噴霧するときには、第２の流路切替弁５３０のディスク開口パターンは、第１の流路切替弁５２０のディスク開口パターンと同じになる。すなわち、第２の流路切替弁５３０においても、第１の水供給ポート５２２ａは、酸性水ポート５２３ｂと連通した位置に配置される。これにより、第１の流路切替弁５２０に供給された水は、第１の水供給ポート５２２ａ、酸性水ポート５２３ｂおよび酸性水流路５０４を通ってアルミニウム槽５４０へ導かれる。
【００８０】
図１３（ｄ）に表したように、水抜きを行うときには、第１の水供給ポート５２２ａは、大気開放ポート５２３ａと連通した位置に配置される。これにより、大気開放流路５０２、大気開放ポート５２３ａおよび第１の水供給ポート５２２ａを通った空気が、第１の流路切替弁５２０に取り込まれる。
【００８１】
図１４は、本実施形態の流路切替パターンを例示する模式的概略図である。  
図１５は、比較例の流路切替パターンを例示する模式的概略図である。
【００８２】
電解槽５１０においては、炭酸カルシウムなどのスケールが生成されることを抑制するため、第１の電極板５１４の極性と第２の電極板５１５の極性とを切り替える極性反転（ポールチェンジ）が行われることがある。そこで、まず、図１５を参照しつつ比較例の流路切替パターンについて説明する。
【００８３】
図１５に表した比較例では、流路切替弁は設けられていない。あるいは、図１５に表した比較例では、１つの流路切替弁が設けられている。この場合には、図１５（ａ）に表したように、第１の電極板５１４が陽極板である場合には、第１の電極板５１４の近傍では酸性水が生成されるため、「ＯＵＴ１」として酸性水が排出される。一方、第２の電極板５１５が陰極板である場合には、第２の電極板５１５の近傍ではアルカリ性水が生成されるため、「ＯＵＴ２」としてアルカリ性水が排出される。  
続いて、図１５（ｂ）に表したように、極性反転が行われると、第１の電極板５１４が陰極板となり、第２の電極板５１５が陽極板となる。この場合には、第２の電極板５１５の近傍では酸性水が生成されるため、「ＯＵＴ４」として酸性水が排出される。一方、第１の電極板５１４の近傍ではアルカリ性水が生成されるため、「ＯＵＴ３」としてアルカリ性水が排出される。
【００８４】
このように、流路切替弁が設けられていない場合、あるいは１つの流路切替弁が設けられた場合には、極性反転が行われると、酸性水およびアルカリ性水のそれぞれの排出先が反転する。そのため、本比較例において、酸性水およびアルカリ性水のそれぞれを所定の排出先に排出するためには、電解槽５１０は、４つの出口ポートが必要となる。
【００８５】
これに対して、本実施形態では、２つの流路切替弁が設けられている。つまり、第１の流路切替弁５２０と、第２の流路切替弁５３０と、が設けられている。図１４（ａ）および図１４（ｂ）に表した「○（白丸）」は、弁が開いていることを表している。図１４（ａ）および図１４（ｂ）に表した「●（黒丸）」は、弁が閉じていることを表している。
【００８６】
図１４（ａ）に表したように、第１の電極板５１４が陽極板である場合には、第１の電極板５１４の近傍では酸性水が生成されるため、酸性水は、第１の流路切替弁５２０へ供給される。このとき、第１の流路切替弁５２０は、酸性水ポート５２３ｂを選択し、酸性水が酸性水流路５０４へ流れるようにしている（図１３（ｂ）参照）。そのため、「ＯＵＴ１」として酸性水が排出される。  
一方、第２の電極板５１５が陰極板である場合には、第２の電極板５１５の近傍ではアルカリ性水が生成されるため、アルカリ性水は、第２の流路切替弁５３０へ供給される。このとき、第２の流路切替弁５３０は、アルカリ性水ポート５２３ｃを選択し、アルカリ性水がアルカリ性水流路５０３へ流れるようにしている（図１３（ａ）参照）。そのため、「ＯＵＴ２」としてアルカリ性水が排出される。
【００８７】
続いて、極性反転が行われると、第１の電極板５１４が陰極板となり、第２の電極板５１５が陽極板となる。その場合には、第２の電極板５１５の近傍で生成された酸性水は、第２の流路切替弁５３０へ供給される。このとき、第２の流路切替弁５３０は、酸性水ポート５２３ｂを選択し、酸性水が酸性水流路５０４へ流れるようにしている（図１３（ｂ）参照）。そのため、「ＯＵＴ１」として酸性水が排出される。  
一方、第１の電極板５１４の近傍で生成されたアルカリ性水は、第１の流路切替弁５２０へ供給される。このとき、第１の流路切替弁５２０は、アルカリ性水ポート５２３ｃを選択し、アルカリ性水がアルカリ性水流路５０３へ流れるようにしている（図１３（ａ）参照）。そのため、「ＯＵＴ２」としてアルカリ性水が排出される。
【００８８】
このように、本実施形態では、２つの流路切替弁が設けられているため、極性反転が行われても酸性水およびアルカリ性水のそれぞれの排出先を同じにすることができる。そのため、電解槽５１０は、２つの出口ポートを有することで、酸性水およびアルカリ性水のそれぞれを所定の排出先に排出することができる。
【００８９】
図１６および図１７は、酸性水の流れを説明する模式図である。  
図１６（ａ）は、図１１（ａ）に表した切断面Ｃ−Ｃにおける模式的断面図である。図１６（ｂ）は、図１６（ａ）に表した切断面Ｄ−Ｄにおける模式的断面図である。図１７（ａ）は、図６（ａ）に表した矢視Ｂ２の方向にみたときの金属イオン酸性水生成装置を表す模式的平面図である。図１７（ｂ）は、図１７（ａ）に表した切断面Ｅ−Ｅにおける模式的断面図である。なお、図１６（ａ）では、ハウジングだけでなく、第１の流路切替弁５２０を表している。
【００９０】
図１４（ａ）に関して前述したように、酸性水が第１の流路切替弁５２０へ供給される場合には、第１の流路切替弁５２０は、酸性水ポート５２３ｂを選択し、酸性水が酸性水流路５０４へ流れるようにしている（図１３（ｂ）参照）。図１６（ｂ）に表した矢印Ａ３８のように、酸性水流路５０４を流れた酸性水は、アルミニウム槽５４０のタンク５４１へ導かれる。
【００９１】
一方、図１４（ｂ）に関して前述したように、酸性水が第２の流路切替弁５３０へ供給される場合には、第２の流路切替弁５３０は、酸性水ポート５２３ｂを選択し、酸性水が酸性水流路５０４へ流れるようにしている（図１３（ｂ）参照）。図１６（ｂ）に表した矢印Ａ３９のように、酸性水流路５０４を流れた酸性水は、アルミニウム槽５４０のタンク５４１へ導かれる。
【００９２】
図１７（ａ）に表した矢印Ａ４１ならびに図１７（ｂ）に表した矢印Ａ４２および矢印Ａ４３のように、アルミニウム槽５４０において生成されたアルミニウムイオン酸性水は、噴霧ポート５４５を通って便器噴霧ノズル４７５へ導かれる。
【００９３】
図１８は、アルカリ性水の流れを説明する模式図である。  
図１８（ａ）は、図６（ａ）に表した矢視Ｂ４の方向にみたときの金属イオン酸性水生成装置を表す模式的平面図である。図１８（ｂ）は、図１８（ａ）に表した切断面Ｆ−Ｆにおける模式的断面図である。
【００９４】
図１４（ｂ）に関して前述したように、アルカリ性水が第１の流路切替弁５２０へ供給される場合には、第１の流路切替弁５２０は、アルカリ性水ポート５２３ｃを選択し、アルカリ性水がアルカリ性水流路５０３へ流れるようにしている（図１３（ａ）参照）。図１８（ａ）に表した矢印Ａ４４および図１８（ｂ）に表した矢印Ａ４５のように、アルカリ性水流路５０３を流れたアルカリ性水は、排水ポート５２６を通ってケーシング４００の外へ排出される。
【００９５】
一方、図１４（ａ）に関して前述したように、アルカリ性水が第２の流路切替弁５３０へ供給される場合には、第２の流路切替弁５３０は、アルカリ性水ポート５２３ｃを選択し、アルカリ性水がアルカリ性水流路５０３へ流れるようにしている（図１３（ａ）参照）。図１８（ａ）に表した矢印Ａ４４および図１８（ｂ）に表した矢印Ａ４６のように、アルカリ性水流路５０３を流れたアルカリ性水は、排水ポート５２６を通ってケーシング４００の外へ排出される。
【００９６】
図１９および図２０は、空気の流れを説明する模式図である。  
図１９（ａ）は、図１１（ａ）に表した切断面Ｃ−Ｃにおける模式的断面図である。図１９（ｂ）は、図１９（ａ）に表した切断面Ｇ−Ｇにおける模式的断面図である。図２０（ａ）は、図１７（ａ）に表した切断面Ｅ−Ｅにおける模式的断面図である。図２０（ｂ）は、本実施形態のアルミニウム槽のタンクを表す模式的概略図である。なお、図１９（ａ）では、ハウジングだけでなく、第１の流路切替弁５２０を表している。
【００９７】
図１９（ｂ）に表した矢印Ａ５２および矢印Ａ５３のように、第１の流路切替弁５２０が大気開放ポート５２３ａを選択すると、大気開放流路５０２を通して空気が第１の流路切替弁５２０に取り込まれる。すると、図１９（ａ）に表した矢印Ａ４７、矢印Ａ４８、矢印Ａ４９および矢印Ａ５１のように、空気は、アルミニウム槽５４０のタンク５４１へ向かって導かれる。続いて、図２０（ａ）に表した矢印Ａ５４、矢印Ａ５５および矢印Ａ５６ならびに図２０（ｂ）に表した矢印Ａ５７のように、空気は、タンク５４１の内部へ導かれる。
【００９８】
すると、タンク５４１に貯留された水は、噴霧ポート５４５を通って便器噴霧ノズル４７５から便器８００のボウル８０１へ排出される。なお、図２０（ａ）に表した破線Ｌ１のように、タンク５４１の内部の水は、水位が噴霧ポート５４５の入口部５４５ａの高さになるまで排出される。
【００９９】
本実施形態では、第１の流路切替弁５２０および第２の流路切替弁５３０がディスク式の切替弁であるため、例えばパッキン５２４におけるシールの漏れ水でも確実にケーシング４００の外に排出することができる。また、排水経路が１つであるため、第１の流路切替弁５２０および第２の流路切替弁５３０が大型化することを抑えることができる。
【０１００】
また、ロータ５２２は、一方向（図１３（ａ）に表した矢印Ａ３７の方向）に回転し、原点（図１３（ａ）に表した位置）から大気開放ポート５２３ａまでの回転角度は、原点からアルカリ性水ポート５２３ｃまでの回転角度および原点から酸性水ポート５２３ｂまでの回転角度よりも大きい。そのため、金属イオン酸性水生成装置５００の通常使用時に、大気開放ポート５２３ａを通って空気が取り込まれることを抑え、誤って洗浄水が排出されることを抑えることができる。
【０１０１】
大気開放ポート５２３ａが酸性水ポート５２３ｂおよびアルカリ性水ポート５２３ｃの位置よりも上方の位置に設けられているため、第１の流路切替弁５２０および第２の流路切替弁５３０よりも下流の流路の水抜きを行う際に、高低差（ヘッド差）を利用することができる。そのため、流路中の水抜きを確実に行うことができる。
【０１０２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、金属イオン酸性水生成装置５００などが備える各要素の形状、寸法、材質、配置などや電解槽５１０、第１の流路切替弁５２０、第２の流路切替弁５３０およびアルミニウム槽５４０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０３】
１００、１００ａ 衛生洗浄装置、  ２００ 便座、  ３００ 便蓋、  ４００ ケーシング、  ４０１ 流路、  ４０３ 第１の流路、  ４０４ 着座検知センサ、  ４０５ 第２の流路、  ４０８ 配管、  ４１０ 制御部、  ４３１ 電磁弁、  ４３３ サブタンク、４３５ ポンプ、  ４４０ 熱交換器ユニット、  ４５０ 電解槽ユニット、  ４５１ オートクリーン、  ４６０ 流路切替弁、  ４６１ バキュームブレーカ、  ４６３ 流量調整弁、  ４７３ 洗浄ノズル、  ４７４ 吐水口、  ４７５ 便器噴霧ノズル、  ４７６ ノズルモータ、  ４７８ ノズル洗浄室、  ４８０ 排水経路、  ４８１ 第１の排水路、  ４８２ 第２の排水路、  ５００ 金属イオン酸性水生成装置、  ５０１ ハウジング、  ５０２ 大気開放流路、  ５０３ アルカリ性水流路、  ５０４ 酸性水流路、  ５１０ 電解槽、  ５１１ 第１の電解槽ケース、  ５１２ 第２の電解槽ケース、  ５１３ 入水ポート、  ５１４ 第１の電極板、  ５１５ 第２の電極板、  ５１６ 第１の出口ポート、  ５１７ 第２の出口ポート、  ５２０ 第１の流路切替弁、  ５２１ 回転軸、  ５２２ ロータ、  ５２２ａ 第１の水供給ポート、  ５２２ｂ 第２の水供給ポート、  ５２３ ステータ、  ５２３ａ 大気開放ポート、  ５２３ｂ 酸性水ポート、  ５２３ｃ アルカリ性水ポート、  ５２３ｅ 酸性水溝部、  ５２３ｆ アルカリ性水溝部、  ５２４ パッキン、  ５２４ａ 第１の仕切部、  ５２４ｂ 第２の仕切部、  ５２６ 排水ポート、  ５２９ 駆動部、  ５３０ 第２の流路切替弁、  ５４０ アルミニウム槽、  ５４１ タンク、  ５４３ アルミニウム、  ５４５ 噴霧ポート、  ５４５ａ 入口部、  ５５１、５５３ 排水経路、  ５６１ ストレーナ、  ８００ 便器、  ８０１ ボウル
【図１】
2014196629.tif 000003
【図２】
2014196629.tif 000004
【図３】
2014196629.tif 000005
【図４】
2014196629.tif 000006
【図５】
2014196629.tif 000007
【図６】
2014196629.tif 000008
【図７】
2014196629.tif 000009
【図８】
2014196629.tif 000010
【図９】
2014196629.tif 000011
【図１０】
2014196629.tif 000012
【図１１】
2014196629.tif 000013
【図１２】
2014196629.tif 000014
【図１３】
2014196629.tif 000015
【図１６】
2014196629.tif 000016
【図１７】
2014196629.tif 000017
【図１８】
2014196629.tif 000018
【図１９】
2014196629.tif 000019
【図２０】
2014196629.tif 000020
【図１４】
2014196629.tif 000021
【図１５】
2014196629.tif 000022